(57)【要約】【課題】エレベーター保全技術者が、エレベーターの保全時若しくは故障時に必要なデータを簡単に取得できることを可能にしたエレベーターのデータ取得方法及びその装置の提供。【解決手段】上記課題は、保全信号若しくは故障信号の受信に応じてデータ抽出部３により情報蓄積部２から抽出した保全データ若しくは故障捕捉データと乗客にアナウンスを行う音声装置４からの音声データとをデータ重畳手段６により重畳して音声重畳信号を作成し、この音声重畳信号をエレベーターの乗りかご８に設けたインターホン９へ出力して、その出力された音声重畳信号から、メンテナンスツール１１などのデータ分離手段１３により、保全データ若しくは故障捕捉データを分離し、その保全データ若しくは故障捕捉データを記憶部１５に格納することによって、達成される。【選択図】図１
2006290471.tif 000002
【特許請求の範囲】
【請求項１】
保全信号若しくは故障信号の受信に応じてデータ抽出部により情報蓄積部から保全データ若しくは故障捕捉データを抽出する抽出工程と、この抽出工程で抽出した保全データ若しくは故障捕捉データと乗客にアナウンスを行う音声装置からの音声データとをデータ重畳手段により重畳して音声重畳信号を作成する重畳工程と、この重畳工程で作成された音声重畳信号をエレベーターの乗りかごに設けたインターホンへ出力する出力工程と、この出力工程で出力された音声重畳信号をメンテナンスツールに設けた音声受信機が受信する音声受信工程と、この音声受信工程により前記音声受信機が受信した音声重畳信号から前記保全データ若しくは故障捕捉データを前記メンテナンスツールに設けたデータ分離手段により分離する分離工程と、この分離工程により分離された前記保全データ若しくは故障捕捉データを記憶部に格納する格納工程とを具備することを特徴とするエレベーターのデータ取得方法。
【請求項２】
保全信号若しくは故障信号の受信に応じてデータ抽出部により情報蓄積部から保全データ若しくは故障捕捉データを抽出する抽出工程と、この抽出工程で抽出した保全データ若しくは故障捕捉データと乗客にアナウンスを行う音声装置からの音声データとをデータ重畳手段により重畳して音声重畳信号を作成する重畳工程と、この重畳工程で作成された音声重畳信号をエレベーターの乗りかごに設けたインターホンへ出力する出力工程と、この出力工程で前記インターホンに出力された音声重畳信号を前記携帯電話に設けた受話部により受信可能となるように前記携帯電話に設けた保全モード切換手段を切り替えることによって音声重畳信号を受話する音声受信工程と、この音声受信工程により前記受話部が受信した音声重畳信号から前記保全データ若しくは故障捕捉データを携帯電話に設けたデータ分離手段により分離する分離工程と、この分離工程で分離した前記保全データ若しくは故障捕捉データを前記携帯電話の表示画面に表示する表示工程を具備することを特徴とするエレベーターのデータ取得方法。
【請求項３】
情報蓄積部から保全データ若しくは故障捕捉データを抽出するデータ抽出部と、乗客にアナウンス行う音声データを出力する音声装置と、この音声装置からの音声データに前記データ抽出部で抽出した前記保全データ若しくは故障捕捉データを重畳して音声重畳信号を作成するデータ重畳手段と、このデータ重畳手段から出力されてきた前記音声重畳信号が入力される乗りかごに設けたインターホンと、このインターホンから送信されてきた音声重畳信号を受信するメンテナンスツールに設けた音声受信機と、この音声受信機が受信した音声重畳信号から前記保全データ若しくは故障捕捉データを分離する前記メンテナンスツールに設けたデータ分離手段と、このデータ分離手段により分離された前記保全データ若しくは故障捕捉データを格納する前記メンテナンスツールに設けた記憶部とを、少なくとも具備することを特徴とするエレベーターのデータ取得装置。
【請求項４】
情報蓄積部から保全データ若しくは故障捕捉データを抽出するデータ抽出部と、乗客にアナウンスを行う音声データを出力する音声装置と、この音声装置からの音声データに前記データ抽出部で抽出した保全データ若しくは故障捕捉データを重畳して音声重畳信号を作成するデータ重畳手段と、このデータ重畳手段から出力されてきた音声重畳信号が入力される乗りかごに設けたインターホンと、このインターホンから送信されてきた音声重畳信号を受信する携帯電話に設けた受話部と、この受話部を音声の受信が可能となるように切り換えるところの前記携帯電話に設けた保全モード切換手段と、この受話部が受信した音声重畳信号から前記保全データ若しくは故障捕捉データを分離する前記携帯電話に設けたデータ分離手段と、このデータ分離手段により分離した前記保全データ若しくは故障捕捉データを表示する前記携帯電話に設けた表示画面と、前記データ分離手段により分離した前記保全データ若しくは故障捕捉データを保存する前記携帯電話に設けた記憶部とを、少なくとも具備することを特徴とするエレベーターのデータ取得装置。
【発明の詳細な説明】
【技術分野】
【０００１】
本発明は、エレベーターの保全時若しくは故障時に必要な保全データ若しくは故障捕捉データを取得するのに好適なエレベーターのデータ取得方法及びデータ取得装置に関するものである。
【背景技術】
【０００２】
この種の従来技術としては、音声信号にデジタル信号を重畳させてなる重畳信号をスピーカーから出力して、その重畳信号をマイクで収集した後、そのマイクで収集した重畳信号からデジタル信号を分離して取り出すようにしたデータ取得方法及び装置が知られていた（例えば、特許文献１参照）。
【特許文献１】特開平８−１４９１６３号公報（段落番号００１１〜段落番号００１７、図１）
【発明の開示】
【発明が解決しようとする課題】
【０００３】
しかしながら、上述した特開平８−１４９１６３号公報に記載のデータ取得方法及び装置は、エレベーターの保全時若しくは故障時に必要な保全データ若しくは故障捕捉データを取得することについては、全く考慮されておらず、常時、音声信号にデジタル信号を重畳させるようにしているので、乗りかごのインターホンに出力する音声信号にデジタル信号を重畳させた場合には、エレベーターの保全時若しくは故障時以外、すなわち、正常運転時に、インターホンから乗りかごの乗客にアナウンスされる音声にノイズが乗り、乗りかご８の乗客に不快感を与えてしまうという問題がある。
【０００４】
本発明は、上述した従来技術における実状からなされたもので、その目的は、正常運転時に、インターホンから乗りかごの乗客にアナウンスされる音声にノイズを乗せることなく、エレベーター保全技術者が使用するメンテナンスツールメンテナンスツール若しくは携帯電話によって保全データ若しくは故障捕捉データを取得するのに好適なエレベーターのデータ取得方法及びデータ取得装置を提供することにある。
【課題を解決するための手段】
【０００５】
上記目的を達成するために、本発明は、保全信号若しくは故障信号の受信に応じてデータ抽出部により情報蓄積部から保全データ若しくは故障捕捉データを抽出する抽出工程と、この抽出工程で抽出した保全データ若しくは故障捕捉データと乗客にアナウンスを行う音声装置からの音声データとをデータ重畳手段により重畳して音声重畳信号を作成する重畳工程と、この重畳工程で作成された音声重畳信号をエレベーターの乗りかごに設けたインターホンへ出力する出力工程と、この出力工程で出力された音声重畳信号をメンテナンスツールに設けた音声受信機が受信する音声受信工程と、この音声受信工程により音声受信機が受信した音声重畳信号から前記保全データ若しくは故障捕捉データを前記メンテナンスツールに設けたデータ分離手段により分離する分離工程と、この分離工程により分離された前記保全データ若しくは故障捕捉データを記憶部に格納する格納工程とを具備することを特徴としている。
【０００６】
さらに、本発明は、保全信号若しくは故障信号の受信に応じてデータ抽出部により情報蓄積部から保全データ若しくは故障捕捉データを抽出する抽出工程と、この抽出工程で抽出した保全データ若しくは故障捕捉データと乗客にアナウンスを行う音声装置からの音声データとをデータ重畳手段により重畳して音声重畳信号を作成する重畳工程と、この重畳工程で作成された音声重畳信号をエレベーターの乗りかごに設けたインターホンへ出力する出力工程と、この出力工程で前記インターホンに出力された音声重畳信号を前記携帯電話に設けた受話部により受信可能となるように前記携帯電話に設けた保全モード切換手段を切り替えることによって音声重畳信号を受話する音声受信工程と、この音声受信工程により受話部が受信した音声重畳信号から前記保全データ若しくは故障捕捉データを前記携帯電話に設けたデータ分離手段により分離する分離工程と、この分離工程で分離した前記保全データ若しくは故障捕捉データを前記携帯電話の表示画面に表示する表示工程とを具備することを特徴としている。
【０００７】
さらに、本発明は、情報蓄積部から保全データ若しくは故障捕捉データを抽出するデータ抽出部と、乗客にアナウンス行う音声データを出力する音声装置と、この音声装置からの音声データに前記データ抽出部で抽出した保全データ若しくは故障捕捉データを重畳して音声重畳信号を作成するデータ重畳手段と、このデータ重畳手段から出力されてきた音声重畳信号が入力される乗りかごに設けたインターホンと、このインターホンから送信されてきた音声重畳信号を受信するメンテナンスツールに設けた音声受信機と、この音声受信機が受信した音声重畳信号から前記保全データ若しくは故障捕捉データを分離する前記メンテナンスツールに設けたデータ分離手段と、このデータ分離手段により分離された前記保全データ若しくは故障捕捉データを格納する前記メンテナンスツールに設けた記憶部とを、少なくとも具備するエレベーターのデータ取得装置としたことを特徴としている。
【０００８】
さらに、本発明は、情報蓄積部から保全データ若しくは故障捕捉データを抽出するデータ抽出部と、乗客にアナウンスを行う音声データを出力する音声装置と、この音声装置からの音声データに前記データ抽出部で抽出した保全データ若しくは故障捕捉データを重畳して音声重畳信号を作成するデータ重畳手段と、このデータ重畳手段から出力されてきた音声重畳信号が入力される乗りかごに設けたインターホンと、このインターホンから送信されてきた音声重畳信号を受信する携帯電話に設けた受話部と、この受話部を音声の受信が可能となるように切り換えるところの前記携帯電話に設けた保全モード切換手段と、この受話部が受信した音声重畳信号から前記保全データ若しくは故障捕捉データを分離する前記携帯電話に設けたデータ分離手段と、このデータ分離手段により分離した前記保全データ若しくは故障捕捉データを表示する前記携帯電話に設けた表示画面と、前記データ分離手段により分離した前記保全データ若しくは故障捕捉データを保存する前記携帯電話に設けた記憶部とを、少なくとも具備するエレベーターのデータ取得装置としたことを特徴としている。
【発明の効果】
【０００９】
本発明によれば、エレベーター保全技術者が所有するメンテナンスツールによって、データ抽出部が保全信号若しくは故障信号を受信した時のみ、すなわち、保全時若しくは故障時のみ、エレベーターの保全データ若しくは故障捕捉データを、安全に、かつ、効率よく取得することが可能なエレベーターのデータ取得方法が得られる。
【００１０】
さらに、本発明によれば、エレベーター保全技術者の携帯電話によって、データ抽出部が保全信号若しくは故障信号を受信した時のみ、すなわち、保全時若しくは故障時のみ、エレベーターの保全データ若しくは故障捕捉データを、安全に、かつ、効率よく取得することが可能なエレベーターのデータ取得方法が得られる。
【００１１】
さらに、本発明によれば、エレベーター保全技術者が所有するメンテナンスツールによって、データ抽出部が保全信号若しくは故障信号を受信した時のみ、すなわち、保全時若しくは故障時のみ、エレベーターの保全データ若しくは故障捕捉データを、安全に、かつ、効率よく取得することが可能なエレベーターのデータ取得装置が得られる。
【００１２】
さらに、本発明によれば、エレベーター保全技術者の携帯電話によって、データ抽出部が保全信号若しくは故障信号を受信した時のみ、すなわち、保全時若しくは故障時のみ、エレベーターの保全データ若しくは故障捕捉データを、安全に、かつ、効率よく取得することが可能なエレベーターのデータ取得装置が得られる。
【発明を実施するための最良の形態】
【００１３】
以下、本発明に係るエレベーターのデータ取得方法及びデータ取得装置の実施形態を、図１から図４に、基づいて説明する。図１は、本発明の一実施形態に係わるエレベーターのデータ取得装置の要部構成を示すブロック図である。図２は、本発明の一実施形態に係わるエレベーターのデータ取得装置を用いたデータ取得方法を示す流れ図である。図３は、本発明の他実施形態に係わるエレベーターのデータ取得装置の要部構成を示すブロック図である。図４は、本発明の他実施形態に係わるエレベーターのデータ取得装置を用いたデータ取得方法を示す流れ図である。
【００１４】
図１において、エレベーター制御装置１は、エレベーターの走行時間、停止位置、稼動回数、トラブル履歴などの保全データＤ１及び故障捕捉データＤ２の情報を蓄積する情報蓄積部２と、この情報蓄積部２から保全データＤ１若しくは故障捕捉データＤ２を抽出するデータ抽出部３と、乗客にアナウンス行う音声データＤ３を出力する音声装置４と、データ抽出部３で抽出した保全データＤ１若しくは故障捕捉データＤ２をデコードするデータ変調部５と、このデータ変調部５でデコードされた保全データＤ１若しくは故障捕捉データＤ２を音声装置４からの音声データＤ１に重畳させた音声重畳信号Ｄ４としその音声重畳信号Ｄ４を出力するデータ重畳手段６と、エレベーターの故障を検出する故障検出手段７とが、包含される構成としてある。
【００１５】
図１において、エレベーターの乗りかご８は、少なくとも、インターホン９と、保守用スイッチ１０を具備している。インターホン９のスピーカー９Ａには、データ重畳手段から出力されてきた音声重畳信号Ｄ４が入力される。
【００１６】
図１において、エレベーター保全技術者が使用するメンテナンスツール１１は、乗りかご８のインターホン９から送信されてきた音声重畳信号Ｄ４を受信する音声受信機１２と、この音声受信機１２が受信した音声重畳信号Ｄ４から保全データＤ１若しくは故障捕捉データＤ２を分離するデータ分離手段１３と、このデータ分離手段１３で分離した保全データＤ１若しくは故障捕捉データＤ２をレコードするデータ復調部１４と、このデータ復調部１４でレコードされた保全データＤ１若しくは故障捕捉データＤ２を格納する記憶部１５とを、少なくとも具備している。
【００１７】
図１においては、情報蓄積部２から保全データＤ１若しくは故障捕捉データＤ２を抽出するデータ抽出部３と、乗客にアナウンス行う音声データを出力する音声装置４と、この音声装置４からの音声データＤ３にデータ抽出部３で抽出した保全データＤ１若しくは故障捕捉データＤ２を重畳させるデータ重畳手段と、このデータ重畳手段５から出力されてきた音声重畳信号Ｄ４が入力される乗りかご８に設けたインターホン９と、このインターホン９から送信されてきた音声重畳信号Ｄ４を受信するためにメンテナンスツール１１に設けた音声受信機１２と、この音声受信機１２が受信した音声重畳信号Ｄ４から保全データＤ１若しくは故障捕捉データＤ２を分離するためにメンテナンスツール１１に設けたデータ分離手段１３と、このデータ分離手段１３により分離された保全データＤ１若しくは故障捕捉データＤ２を格納するメンテナンスツール１１に設けた記憶部１５とによって、本発明の一実施形態に係わるエレベーターのデータ取得装置１６が構成されている。
【００１８】
次に、本発明の一実施形態に係わるエレベーターのデータ取得装置１６を用いてエレベーターの保全作業時におけるエレベーターのデータを取得する方法を、図２を用いて説明する。
【００１９】
（１）始めに、エレベーターの保全作業時に、メンテナンスツール１１を携帯して乗りかご８に乗り込んだエレベーター保全技術者が、乗りかご８の保守用スイッチ１０を投入することで、データ抽出部３に保守信号Ｄ５を送信する。すると、図２のステップＳ１（抽出工程）において、データ抽出部３は、情報蓄積部２から走行時間その他の保全データＤ１を抽出し、その保全データＤ１をデータ変調部５に出力する。
【００２０】
（２）次いで、音声装置４からエレベーターが保全作業状態に切り替わっていることをアナウンスするための音声データＤ３と、データ変調部５でデコードされた保全データＤ１とを、データ重畳手段６に送信し、図２のステップＳ２（重畳工程）において、そのデータ重畳手段６により、音声データＤ３に保全データＤ１を重畳させてなる音声重畳信号Ｄ４を作成する。
【００２１】
（３）次いで、図２のステップＳ３（音声信号出力工程）において、データ重畳手段６から、音声データＤ３に保全データＤ１を重畳させてなる音声重畳信号Ｄ４を、乗りかご８のインターホン９のスピーカー９Ａに出力する。
【００２２】
（４）次いで、乗りかご８のインターホン９に音声重畳信号Ｄ４が出力されると、エレベーターが保全作業状態に切り替わっていることをインターホン９のスピーカー９Ａでアナウンスすると同時に、図２のステップＳ４（音声受信工程）において、エレベーター保全技術者が携帯するメンテナンスツール１１の音声受信機１２で音声重畳信号Ｄ４を受信する。
【００２３】
（５）次いで、メンテナンスツール１１の音声受信機１２が音声重畳信号Ｄ４を受信すると、図２のステップＳ５（分離工程）において、その音声重畳信号Ｄ４をメンテナンスツール１１のデータ分離手段１３により、音声データＤ３と保全データＤ１に分離する。
【００２４】
（６）最後に、データ分離手段１３により分離された保全データＤ１のみを、メンテナンスツール１１のデータ復調部１４により復調した後、図２のステップＳ６（格納工程）において、メンテナンスツール１１の記憶部１５に格納する。
【００２５】
上記（１）〜（６）の手順により、エレベーター保全技術者は、エレベーター制御装置１の情報蓄積部２に蓄積されているところのエレベーターの保全作業に必要な保全データＤ１をメンテナンスツール１１によって、簡単に取得することができる。
【００２６】
次に、本発明の一実施形態に係わるエレベーターのデータ取得装置１６を用いてエレベーターの故障時におけるエレベーターのデータを取得する方法を、説明する。
【００２７】
（Ａ）始めに、エレベーター制御装置１の故障検出手段７が、エレベーターの故障を検知すると、その故障検出手段７から故障信号Ｄ６がデータ抽出部３に送信される。すると、図２のステップＳ１（抽出工程）において、データ抽出部３は、情報蓄積部２から故障捕捉データＤ２を抽出して、その故障捕捉データＤ２をデータ変調部５に出力する。
【００２８】
（Ｂ）次いで、音声装置４からエレベーターが故障状態であることをアナウンスするための音声データＤ３と、データ変調部５でデコードされた故障捕捉データＤ２とを、データ重畳手段６に送信し、図２のステップＳ２（重畳工程）において、そのデータ重畳手段６により、音声データＤ３に故障捕捉データＤ２を重畳させてなる音声重畳信号Ｄ４を作成する。
【００２９】
（Ｃ）次いで、図２のステップＳ３（音声信号出力工程）において、データ重畳手段６から、音声データＤ３に故障捕捉データＤ２を重畳させてなる音声重畳信号Ｄ４を、乗りかご８のインターホン９のスピーカー９Ａに出力する。
【００３０】
（Ｄ）次いで、乗りかご８のインターホン９に音声重畳信号Ｄ４が出力されると、エレベーターが故障状態であることをインターホン９のスピーカー９Ａでアナウンスすると同時に、図２のステップＳ４（音声受信工程）において、保全技術者が携帯するメンテナンスツール１１の音声受信機１２で、音声重畳信号Ｄ４を受信する。
【００３１】
（Ｅ）次いで、メンテナンスツール１１の音声受信機１２が音声重畳信号Ｄ４を受信すると、図２のステップＳ５（分離工程）において、その音声重畳信号Ｄ４をメンテナンスツール１１のデータ分離手段１３により、音声データＤ３と故障捕捉データＤ２に分離する。
【００３２】
（Ｆ）最後に、データ分離手段１３により分離された故障捕捉データＤ２のみを、メンテナンスツール１１のデータ復調部１４により復調した後、図２のステップＳ６（格納工程）において、メンテナンスツール１１の記憶部１５に格納する。なお、エレベーターの故障復旧後、故障検出手段７を開放することにより、データ抽出部３への故障信号Ｄ６の送信を遮断することによって、情報蓄積部２から故障捕捉データＤ２が抽出させるのを停止させる。
【００３３】
上記（Ａ）〜（Ｆ）の手順により、エレベーター保全技術者は、エレベーター制御装置１の情報蓄積部２に蓄積されているところの故障捕捉データＤ２をメンテナンスツール１１によって、簡単に取得することができる。
【００３４】
次に、本発明の他実施形態に係わるエレベーターのデータ取得装置を、図３を用いて説明する。なお、図３において、図１と同一符号は、同一内容を表す。
【００３５】
図３に示す本発明の他実施形態に係わるエレベーターのデータ取得装置１７は、エレベーター制御装置１の情報蓄積部２から保全データＤ１若しくは故障捕捉データＤ２を抽出するデータ抽出部３と、乗客にアナウンスを行う音声データを出力する音声装置４と、この音声装置４からの音声データに前記データ抽出部３で抽出した保全データＤ１若しくは故障捕捉データＤ２を重畳して音声重畳信号Ｄ４を作成するデータ重畳手段６と、このデータ重畳手段６から出力されてきた音声重畳信号Ｄ４が入力される乗りかご８に設けたインターホン９と、このインターホン９から送信されてきた音声重畳信号Ｄ４を受信する携帯電話１８に設けた受話部１９と、この受話部１９を音声の受信が可能となるように切り換えるところの携帯電話１８に設けた保全モード切換手段２０と、この受話部１９が受信した音声重畳信号Ｄ４から前記保全データＤ１若しくは故障捕捉データＤ２を分離する携帯電話１８に設けたデータ分離手段２１と、このデータ分離手段１３で分離した保全データＤ１若しくは故障捕捉データＤ２をレコードするデータ復調部２２と、このデータ復調部２２でレコードされた保全データＤ１若しくは故障捕捉データＤ２を格納する記憶部２３と、このデータ分離手段２１により分離した前記保全データＤ１若しくは故障捕捉データＤ２を表示する携帯電話１８に設けた表示画面２４とを、少なくとも具備する構成になっている。
【００３６】
次に、図３に示す他実施形態に係わるエレベーターのデータ取得装置１７を用いてエレベーターの保全作業時におけるエレベーターのデータを取得する方法を、図４を用いて説明する。
【００３７】
（イ）始めに、エレベーターの保全作業時若しくは故障復旧時に、メンテナンスツール１１若しくは携帯電話１８を携帯して乗りかご８に乗り込んだエレベーター保全技術者が、乗りかご８の保守用スイッチ１０を投入すること若しくは故障検出手段７がエレベーターの故障を検知することで、データ抽出部３に保守信号Ｄ５若しくは故障信号Ｄ６を送信する。すると、図４のステップＳ１０において、データ抽出部３は、情報蓄積部２から走行時間その他の保全データＤ１若しくは故障捕捉データＤ２を抽出し、その保全データＤ１若しくは故障捕捉データＤ２をデータ変調部５に出力する（抽出工程）。
【００３８】
（ロ）次いで、音声装置４からエレベーターが保全作業状態に切り替わっていること若しくはエレベーターが故障状態であることをアナウンスするための音声データＤ３と、データ変調部５でデコードされた保全データＤ１若しくは故障捕捉データＤ２とを、データ重畳手段６に送信し、図２のステップＳ１１において、そのデータ重畳手段６により、音声データＤ３に保全データＤ１若しくは故障捕捉データＤ２を重畳させてなる音声重畳信号Ｄ４を作成する（重畳工程）。
【００３９】
（ハ）次いで、図２のステップＳ１２において、データ重畳手段６から、音声データＤ３に保全データＤ１若しくは故障捕捉データＤ２を重畳させてなる音声重畳信号Ｄ４を、乗りかご８のインターホン９のスピーカー９Ａに出力する（音声信号出力工程）。
【００４０】
（ニ）次いで、乗りかご８のインターホン９に音声重畳信号Ｄ４が出力されると、エレベーターが保全作業状態に切り替わっていること若しくはエレベーターが故障状態であることがインターホン９のスピーカー９Ａでアナウンスさせると同時に、図２のステップＳ１３において、音声の受信が可能となるように保全モード切換手段２０により切り替えてあるところの携帯電話１８の受信部１９により、音声重畳信号Ｄ４を受信する（音声受信工程）。
【００４１】
（ホ）次いで、図２のステップＳ１４において、受話部１９が受信した音声重畳信号Ｄ４から前記保全データＤ１若しくは故障捕捉データＤ２を携帯電話１８に設けたデータ分離手段２１により分離する（分離工程）。
【００４２】
（へ）次いで、図２のステップＳ１５において、データ分離手段２１により分離された前記保全データＤ１若しくは故障捕捉データＤ２のみを、携帯電話１８のデータ復調部２２により復調した後、携帯電話１８の記憶部２３に格納する（格納工程）。
【００４３】
（ト）最後に、図２のステップＳ１６において、データ分離手段２１により分離分離した前記保全データＤ１若しくは故障捕捉データＤ２を携帯電話１８の表示画面２４に表示する（表示工程）。
【００４４】
上記（イ）〜（ト）の手順により、エレベーター保全技術者は、エレベーター制御装置１の情報蓄積部２に蓄積されているところのエレベーターの保全作業に必要な保全データＤ１若しくは故障捕捉データＤ２を携帯電話１８によって、簡単に取得することができる。
【００４５】
上記一実施形態のエレベーターのデータ取得装置１６及び上記他実施形態のエレベーターのデータ取得装置１７によれば、エレベーターが保全作業状態若しくは故障状態のときのみ、すなわち、データ抽出部が保全信号若しくは故障信号を受信したときのみ、音声装置４の音声データＤ３に保全データＤ１若しくは故障捕捉データＤ２を重畳させるようにして、エレベーターが保全作業状態若しくは故障状態以外のときには、音声装置４から出力される音声データＤ３に保全データＤ１若しくは故障捕捉データＤ２を重畳させないので、エレベーターが保全作業状態若しくは故障状態以外のときにインターホンから乗りかご８の乗客にアナウンスされる音声にノイズが乗ることがないため、乗りかご８の乗客に不快感を与えることを防止できる。また、すべてのデータを音声装置４から出力される音声データＤ３に重畳させるのではなく、予め設定した保全データＤ１若しくは故障捕捉データＤ２のみを重畳させるようにすることで、データ送信時間及びデータ誤り時の再送時間が大幅に短縮させることができる。
【００４６】
上記一実施形態のエレベーターのデータ取得装置１６及び上記他実施形態のエレベーターのデータ取得装置１７に、メンテナンスツール１１の記憶部１５に格納された保全データＤ１若しくは故障捕捉データＤ２を、紙などに印刷することができるように印刷機能を持たせるようにしてもよい。
【図面の簡単な説明】
【００４７】
【図１】本発明の一実施形態に係わるエレベーターのデータ取得装置の要部構成を示すブロック図である。
【図２】本発明の一実施形態に係わるエレベーターのデータ取得装置を用いたデータ取得方法を示す流れ図である。
【図３】本発明の他実施形態に係わるエレベーターのデータ取得装置の要部構成を示すブロック図である。
【図４】本発明の他実施形態に係わるエレベーターのデータ取得装置を用いたデータ取得方法を示す流れ図である。
【符号の説明】
【００４８】
１    エレベーター制御装置
２    情報蓄積部
３    データ抽出部
４    音声装置
５    データ変調部
６    データ重畳手段
７    故障検出手段
８    乗りかご
９    インターホン
９Ａ  スピーカー
１０  保守用スイッチ
１１  メンテナンスツール
１２  音声受信機
１３  データ分離手段
１４  データ復調部
１５  メンテナンスツールに設けた記憶部
１６  エレベーターのデータ取得装置（一実施形態）
１７  エレベーターのデータ取得装置（他実施形態）
１８  携帯電話
１９  受話部
２０  保全モード切換手段
２１  携帯電話のデータ分離手段
２２  携帯電話のデータ復調部
２３  携帯電話の記憶部
２４  携帯電話の表示画面
Ｄ１  保全データ
Ｄ２  故障捕捉データ
Ｄ３  音声データ
Ｄ４  音声重畳信号
Ｄ５  保守信号
Ｄ６  故障信号
【図１】
2006290471.tif 000003
【図２】
2006290471.tif 000004
【図３】
2006290471.tif 000005
【図４】
2006290471.tif 000006